(57)【要約】      （修正有）【課題】ワイヤを巻き取ったり送り出したりする際にダイヤル式のワイヤ巻き取り装置のダイヤルを操作しやすい靴を提供する。【解決手段】ワイヤ５、タン２及び１対の羽根３に設けられた複数のワイヤ通し６、７、及び、タン２に設けられたダイヤル式のワイヤ巻き取り装置４を有する外羽根式の靴１であって、ダイヤル式のワイヤ巻き取り装置４は、タン２に配置され、ワイヤ通し６、７に通されたワイヤ５の両端が固定されており、ダイヤルの操作によってワイヤ５を巻き取り、及び、ワイヤ５を送り出す。ワイヤ巻き取り装置４をタン２に設けることで、ワイヤ巻き取り装置４のダイヤルを操作し易くなる。【選択図】図１
0003228744.tif 000002
【実用新案登録請求の範囲】
【請求項１】
ワイヤ、
タン及び１対の羽根に設けられた複数のワイヤ通し、及び、
前記タンに設けられたダイヤル式のワイヤ巻き取り装置を有する外羽根式の靴であって、
前記ダイヤル式のワイヤ巻き取り装置は、前記ワイヤ通しに通された前記ワイヤの両端が固定されており、ダイヤルの操作によって前記ワイヤを巻き取り、及び、前記ワイヤを送り出すことを特徴とする外羽根式の靴。
【請求項２】
前記ワイヤ通しは樹脂製であることを特徴とする、請求項１に記載の靴。
【考案の詳細な説明】
【技術分野】
【０００１】
本考案は、ダイヤルのついた靴に関する。
【背景技術】
【０００２】
靴紐を結ぶ動作を簡略化するため、また、靴紐が緩むのを防止するために、様々な方法が用いられている。例えば、従来の靴紐の代わりとして、複数のこぶ部を設けた弾性変形可能な靴紐（特許文献１）があり、これを使用すれば靴紐を結ぶという動作を省略することができる。また、靴紐巻取装置によって靴紐を巻き取ったり、緩めたりする方法（特許文献２）、ダイヤルユニットによってワイヤを巻き取ることにより、ベルトの先端部をアッパーの外側側面に向けて引っ張ることができ、靴を履いた使用者の足に対してベルトを締め付けることができる靴（特許文献３）等があり、簡単なダイヤル操作で紐を締めたり、緩めたりすることができるようになっている。
【先行技術文献】
【特許文献】
【０００３】
【特許文献１】実用新案登録第３２２６７２０号公報
【特許文献２】特開２０１５−０００２９３号公報
【特許文献３】特開２０１９−０００２１３号公報
【考案の概要】
【考案が解決しようとする課題】
【０００４】
しかしながら、従来のダイヤルを用いた靴は、ダイヤルが靴の左右、あるいは、後方に配置されているために、ダイヤル操作がし辛いという問題があった。そこで、本考案は、ダイヤルをタンの真ん中に配置することで、ワイヤを締めたり緩めたりする際にダイヤルを操作しやすい靴を提供することを目的とする。
【課題を解決するための手段】
【０００５】
本考案の靴は、ワイヤ、タン及び１対の羽根に設けられた複数のワイヤ通し、及び、前記タンに設けられたダイヤル式のワイヤ巻き取り装置を有する外羽根式の靴であって、前記ダイヤル式のワイヤ巻き取り装置は、前記ワイヤ通しに通された前記ワイヤの両端が固定されており、ダイヤルの操作によって前記ワイヤを巻き取り、及び、前記ワイヤを送り出すことを特徴とする。
【０００６】
前記ワイヤ通しは樹脂製である。
【考案の効果】
【０００７】
本考案の靴は、ワイヤ、タン及び１対の羽根に設けられた複数のワイヤ通し、及び、前記タンに設けられたダイヤル式のワイヤ巻き取り装置を有する外羽根式の靴であって、前記ダイヤル式のワイヤ巻き取り装置は、前記ワイヤ通しに通された前記ワイヤの両端が固定されており、ダイヤルの操作によって前記ワイヤを巻き取り、及び、前記ワイヤを送り出すことにより、前記ダイヤル式のワイヤ巻き取り装置のダイヤルの操作がし易くなり、さらに、ワイヤをバランスよく締めることができる。
【０００８】
前記ワイヤ通しは樹脂製であることにより、ワイヤ通しの滑りがよくなり、ワイヤが前記ワイヤ通し内で動きやすくなり、ワイヤの巻き取り及び緩める動作をスムーズに行うことができる。
【図面の簡単な説明】
【０００９】
【図１】本考案の靴のワイヤを巻き取った状態の斜視図である。
【図２】靴のワイヤを緩めた状態の斜視図である。
【考案を実施するための形態】
【００１０】
本考案の靴１について、図１，２を用いて以下に詳細に説明する。本考案の靴１は、図１，２に示すように、外羽根式の靴であって、ワイヤ５、タン２及び１対の羽根３に設けられた複数のワイヤ通し６，７、及び、前記タン２に設けられたダイヤル式のワイヤ巻き取り装置４を有する外羽根式の靴である。
【００１１】
前記ワイヤ５は、従来の靴紐の代わりであり、図１，２に示すように、前記羽根３に設けられたワイヤ通し６及び前記タン２に設けられたワイヤ通し７に通されており、前記ワイヤ５の両端が前記ダイヤル式のワイヤ巻き取り装置４に固定されている。
【００１２】
前記靴１のその他構造については、特に限定するものではなく、全体の形状、靴底の種類、デザイン、色などは様々な形態を用いることができ、材質についても限定するものではなく、様々な材質を用いることができる。
【００１３】
前記羽根３に設けられている前記ワイヤ通し６は樹脂製であり、各羽根３に３個ずつ設けられているが、数については特に限定するものではない。前記ワイヤ通し６は前記ワイヤ５が縦方向に通されるように縦方向に穴が開いている筒状であり、間隔をあけて２つの前記羽根３にそれぞれ取り付けられている。
【００１４】
前記タン２に設けられている前記ワイヤ通し７も樹脂製であり、前記タン２に２個のワイヤ通し７がけられているが、数については特に限定するものではなく、前記羽根３のワイヤ通し６の数に合わせて適宜変更することができる。前記ワイヤ通し７は、横方向に前記ワイヤ５が通されるように孔が形成されており、前記ワイヤ５が前記ワイヤ通し７内でクロスした状態となっている。
【００１５】
前記ダイヤル式のワイヤ巻き取り装置４は、ダイヤルを回転させることにより、前記ワイヤ５を巻き取る構造であり、内部には前記ワイヤ５を巻き取るドラムを有し、前記ドラムに前記ワイヤ５の両端が取り付けられており、前記ダイヤル式のワイヤ巻き取り装置４のダイヤルを一方向に回すと、前記ドラムが回転して前記ワイヤ５が巻き取られる。前記ダイヤル式のワイヤ巻き取り装置４のダイヤルを反対方向に回すと前記ドラムが反対方向に回転して、前記ドラムに巻かれていたワイヤ５がほどかれて前記ワイヤ５が送り出される構造である。
【００１６】
前記ダイヤル式のワイヤ巻き取り装置４は、さらに、前記ワイヤ５を巻き取った状態で前記ドラムの回転をロックするロック機構を備えており、これにより、巻き取られた前記ワイヤ５は緩むことが防止され、前記靴１を履いているときに前記ワイヤ５による締め付けが緩むのを防止することができる。
【００１７】
図２の状態から、前記ダイヤル式のワイヤ巻き取り装置４のダイヤルを回してドラムを回転させて前記ワイヤ５を巻き取ると、前記ダイヤル式のワイヤ巻き取り装置４から露出している前記ワイヤ５の長さが短くなり、図１に示すように靴１がワイヤ５によって締め付けられた状態となり、前記靴１を足にフィットさせることができる。
【００１８】
図１の状態から、前記ダイヤル式のワイヤ巻き取り装置４のダイヤルを反対方向に回してドラムを回転させて前記ワイヤ５を送り出すと、前記ダイヤル式のワイヤ巻き取り装置４から露出している前記ワイヤ５の長さは長くなるので、図２に示すように、前記ワイヤ５による締め付けを緩めることができ、靴１を脱いだり履いたりすることができる状態となる。
【００１９】
さらに、図１の状態で、靴１をより足にフィットさせるために、前記ダイヤル式のワイヤ巻き取り装置４のダイヤルを少し回転させて、前記ワイヤ５の長さを調節することも可能である。
【００２０】
このように本考案の靴１は、前記ダイヤル式のワイヤ巻き取り装置４のダイヤルを操作することで前記ワイヤ５の巻き取り及び送り出しができるが、前記ダイヤル式のワイヤ巻き取り装置４がタン２に配置されていることから、前記ダイヤル式のワイヤ巻き取り装置４のダイヤルを操作しやすくなっている。
【００２１】
前記ダイヤル式のワイヤ巻き取り装置４の構造は特に限定するものではなく、前記ダイヤル式のワイヤ巻き取り装置４のダイヤルを回転させることで前記ワイヤ５の巻き取り及び送り出しが行える構造であればよく、様々な構造を用いることができる。
【００２２】
本考案の靴１は、ダイヤル式のワイヤ巻き取り装置４を回転せるだけで簡単にワイヤ５の巻き取り及び送り出しができるので、従来の靴紐による問題を解消でき、さらに、前記ダイヤル式のワイヤ巻き取り装置４をタン２に設けることでダイヤル式のワイヤ巻き取り装置４のダイヤルを操作し易くなるという効果を奏する。
【符号の説明】
【００２３】
１  靴
２  タン
３  羽根
４  ダイヤル式のワイヤ巻き取り装置
５  ワイヤ
６  ワイヤ通し
７  ワイヤ通し
【図１】
0003228744.tif 000003
【図２】
0003228744.tif 000004